(57)【要約】【課題】壁面の出隅部において巾木用コーナーパッドを両面テープ等により貼着する手段を使用せずに取り付けることができる巾木用コーナーパッドの取付装置を提供すること。【解決手段】壁面に取り付けられる面側に溝を形成した巾木と、一方の側板の内面側に水平に延びる舌片を形成した外隅用のコーナーパッドとから構成され、壁面に取り付けられた一方の巾木の前記溝にコーナーパッドの舌片を差し入れることにより出隅部に装着可能とする巾木用コーナーパッドにおいて、側板端部より突出し、且つ、先端が側板方向に近づくように傾斜する舌片の先端部を極薄のテーパー面として巾木の溝に容易に差し入れることができるようにすると共に、側板より突出する傾斜した舌片の弾性力で巾木を挟着するようにして巾木からの脱落を防止するようにしたことを特徴とする。【選択図】図１
2016160744.tif 000002
【特許請求の範囲】
【請求項１】
壁面に取り付けられる面側に溝を形成した巾木と、一方の側板の内面側に水平に延びる舌片を形成した外隅用のコーナーパッドとから構成され、壁面に取り付けられた一方の巾木の前記溝にコーナーパッドの舌片を差し入れることにより出隅部に装着可能とする巾木用コーナーパッドにおいて、側板端部より突出し、且つ、先端が側板方向に近づくように傾斜する舌片の先端部を極薄のテーパー面として巾木の溝に容易に差し入れることができるようにすると共に、側板より突出する傾斜した舌片の弾性力で巾木を挟着するようにして巾木からの脱落を防止するようにしたことを特徴とする巾木用コーナーパッドの取付装置。
【請求項２】
請求項１の巾木用コーナーパッドにおいて、コーナーパッドの舌片が巾木の溝側壁に接触する面側に、先端から離れた位置から極細巾でテーパーを形成した横方向の３本のリブを形成して舌片と溝側壁との間の摩擦抵抗を小さくして巾木の溝にさらに容易に差し入れることができるようにしたことを特徴とする請求項１記載の巾木用コーナーパッドの取付装置。
【発明の詳細な説明】
【技術分野】
【０００１】  本発明は、壁面の出隅部において巾木用コーナーパッドを両面テープ等により貼着する手段を使用せずに取り付けることができる巾木用コーナーパッドの取付装置に関するものである。
【背景技術】
【０００２】  従来、壁のコーナー部分に巾木の突き合わせ部分を隠すためのコーナーパッドを取り付ける場合、巾木の突合せ部に両面テープ等で貼着することによって取り付ける方法と、図９、図１０に示すように、コーナーパッドａに巾木ｂの端面側に形成された溝ｃに差し入れることができる舌片ｄを左右両方向に形成し、その２方向の舌片ｄ、ｄを最初から両巾木の溝ｃに差し入れた状態で巾木ｂとコーナーパッドａを一体化して取り付ける方法とがある。
【発明の開示】
【発明が解決しようとする課題】
【０００３】  前者の従来方法ではコーナーパッドの壁面側の面に両面テープの一面を貼り、他面を巾木に貼着させて取り付ける手段を要して不便であり、後者の従来方法では両面テープ等の貼着手段は必要ないが、最初から巾木とコーナーパッドを一体化しておく必要があって、誤って巾木を先に壁面に取り付けた場合には後からコーナーパッドを取り付けることができないという問題点があった。【０００４】  この問題点を壁面の出隅部において解決するために、巾木を先に壁面に取り付けておいても両面テープ等の貼着手段を要することなく後から簡単にコーナーパッドを取り付けることができる巾木用コーナーパッドの取付装置は既に公知であるが、その構造は、壁面に取り付けられる面側に中空部を形成した巾木と、一方の側板の内面側に水平に延びる２つの舌片を形成した外隅用のコーナーパッドとから構成され、壁面に取り付けられた一方の巾木の中空部にコーナーパッドの舌片を差し入れることにより出隅部に装着可能とするものであった。【０００５】  確かにこの構造のものは、巾木を先に壁面に取り付けておいても両面テープ等の貼着手段を要することなく後から簡単にコーナーパッドを取り付けることができるが、取り付け後、コーナーパッドは舌片と中空部の側壁との摩擦抵抗だけで脱落を防ぐものであったため、僅かな外力で外れ易く、施工後これを防ぐために接着剤等の固定手段で固定していた。
【発明の目的】
【０００６】  本発明は、特別な固定手段を使用せずに巾木を先に壁面の出隅部に取り付けておいても両面テープ等の貼着手段を要することなく後から簡単にコーナーパッドを取り付けることができる巾木用コーナーパッドの取付装置を提供するものである。
【課題を解決するための手段】
【０００７】  請求項１に係る本発明の巾木用コーナーパッドの取付装置は、壁面に取り付けられる面側に溝を形成した巾木と、一方の側板の内面側に水平に延びる舌片を形成した外隅用のコーナーパッドとから構成され、壁面に取り付けられた一方の巾木の前記溝にコーナーパッドの舌片を差し入れることにより出隅部に装着可能とする巾木用コーナーパッドにおいて、側板端部より突出し、且つ、先端が側板方向に近づくように傾斜する舌片の先端部を極薄のテーパー面として巾木の溝に容易に差し入れることができるようにすると共に、側板より突出する傾斜した舌片の弾性力で巾木を挟着するようにして巾木からの脱落を防止するようにしたことを特徴とするものである。
【０００８】    また、請求項２に係る本発明の巾木用コーナーパッドの取付装置は、請求項１の巾木用コーナーパッドにおいて、コーナーパッドの舌片が巾木の溝側壁に接触する面側に、先端から離れた位置から極細巾でテーパーを形成した横方向の３本のリブを形成して舌片と溝側壁との間の摩擦抵抗を小さくして巾木の溝にさらに容易に差し入れることができるようにしたことを特徴とするものである。
【発明の作用】
【０００９】  本発明に係る巾木用コーナーパッドの取付装置は、壁面に取り付けられた一方の巾木の前記溝に差し入れるためのコーナーパッドの舌片を側板端部より突出させてあるので、その突出部が差し込み途中で巾木の溝の底壁に先に届き、差し込み途中でし、の先端部を極薄のテーパー面として前記巾木の溝に容易に差し入れることができるようにしてあるので、舌片と溝側壁との間の摩擦抵抗を大きくしてコーナーパッドの巾木からの脱落を防止することにより両面テープ等で貼着するような手段を要することなく簡単に出隅部に取り付けることができる。
【実施例】
【００１０】  図１は、本発明装置を構成するコーナーパッドの背面側から見た斜視図、図２は、同コーナーパッドの背面側の側面図、図３は、同コーナーパッドの背面側の正面図、図４は、同コーナーパッドの底面図、図５は、同コーナーパッドを巾木の突合せ部の溝に舌片を差し入れることによって取り付けることができることを示す斜視図、図６は、コーナーパッドを巾木の突合せ部の溝に舌片を差し入れる状態を表す断面図、図７は、同コーナーパッドを巾木の突合せ部に取り付けた状態の斜視図、図８は、他の実施例のコーナーパッドの背面側から見た斜視図、図９は、同コーナーパッドの背面側の側面図である。【００１１】  図示において、１は、本発明装置を構成する両側板１−１、１−１が直行する平面形状Ｌ型のコーナーパッドであって、硬質の合成樹脂で成形され、外観上通常の巾木用の出隅用コーナーパッドであるが、一方の側板１−１の内面には巾木２の溝２−１に差し込み、側板１−１との間で巾木２を挟み込んでコーナーパッド１を取り付けることができる先端部が側板１−１端部から突出し、その先端部を極薄のテーパー面１ａとした一方向に向く舌片１−２が巾木同士の突合せ部の隙間に収まる大きさの支持板１−３に一体形成されている。【００１２】  また、他の実施例の図８、９では舌片１−２には巾木２の溝２−１の側壁に接触する面側に極細巾のテーパーを形成した３本のリブ１−ａが形成されている。【００１３】  次に、本発明装置によるコーナーパッドの取付方法を説明すれば、先ず、予め巾木２、２が壁面にタッカー止め、ネジ止め等によって取り付けられている一方の巾木２の溝２−１にコーナーパッド１の舌片１−２を差し込むだけでコーナーパッド１はその巾木２を舌片１−２と側片１−１の間で挟み込んで巾木２に取り付けられるのであるが、その際、図６の（ａ）で示されるように舌片１−２の先端部が巾木２に当接する。【００１４】  この状態から更に押し込むと、舌片１−２の先端部側が極薄のテーパー面１ａとなっているので、容易に壁面と巾木２の溝２−１との間に差し入れられ、図６の（ｂ）、（ｃ）で示されるように差し入れる途中で巾木２を舌片１−２と側片１−１の間で挟み込む。【００１５】  このとき、舌片１−２は側板１−１端部より傾斜した状態で突出しているので、図４に図示するようにｍの距離だけその弾性力により狭まり、舌片１−２と巾木２の側板１−１間に巾木２を強く挟み込み、巾木端部に支持板１−３が当接して図７の取り付け完了状態となるものである。
【発明の効果】
【００１６】  本発明に係る巾木用コーナーパッドの取付装置によれば、特別な固定手段を使用せずに巾木を先に壁面の出隅部に取り付けておいても両面テープ等の貼着手段を要することなく後から簡単にコーナーパッドを取り付けることができることができるものでありながら弾性力により舌片と巾木の側板の間に巾木を強く挟み込み、舌片と溝側壁との間の摩擦抵抗を大きくして特別な固定手段を要することなくコーナーパッドの巾木からの脱落を防止することができる効果を奏するものである。
【００１７】  また、請求項２のように舌片には巾木の溝の側壁に接触する面側に極細巾のテーパーを形成した３本のリブを形成することによって接触面積を小さくすることによって巾木の溝が浅かった場合でも舌片の巾木への挿入を更に容易とするものである。
【図面の簡単な説明】
【００１８】
【図１】  本発明装置を構成するコーナーパッドの背面側から見た斜視図である。
【図２】  同コーナーパッドの背面側の側面図である。
【図３】  同コーナーパッドの背面側の正面図である。
【図４】  同コーナーパッドの底面図である。
【図５】  同コーナーパッドを巾木の突合せ部の溝に舌片を差し入れることによって取り付けることができることを示す斜視図である。
【図６】  コーナーパッドを巾木の突合せ部の溝に舌片を差し入れる状態を表す説明断面図である。
【図７】  同コーナーパッドを巾木の突合せ部に取り付けた状態の斜視図である。
【図８】  他の実施例のコーナーパッドの背面側から見た斜視図、
【図９】  同コーナーパッドの背面側の側面図である。
【図１０】  〜［図１１］従来法によるコーナーパッドの取り付け状態を表す斜視図である。
【符号の説明】
【００１９】  １          コーナーパッド
２          巾木
【図１】
2016160744.tif 000003
【図２】
2016160744.tif 000004
【図３】
2016160744.tif 000005
【図４】
2016160744.tif 000006
【図５】
2016160744.tif 000007
【図６】
2016160744.tif 000008
【図７】
2016160744.tif 000009
【図８】
2016160744.tif 000010
【図９】
2016160744.tif 000011
【図１０】
2016160744.tif 000012
【図１１】
2016160744.tif 000013